(57)【要約】【課題】繊細かつ奥行きがあり３次元のように見える柄ストッキングを提供する。【解決手段】ストッキングは、ＤＣＹおよびＷＮ（ウーリーナイロン）を含んで４口丸編み機により連続して編成される。ＷＮで編んだプレーン編みに対してインレイ糸としてＤＣＹを挿入した第１の編み組織（下地部分１２）と、４口丸編み機の第１口および第３口に供給されたＤＣＹをプレーン編みで、かつ、第２口および第４口に供給されたＷＮをコース方向にプレーン（Ｐ）とタック（Ｔ）とが交互に入れ替わる１×１編みであって同一ウェールにおいてはＰとＴとが配置された第２の編み組織（ベタ塗り部分１４）と、ＤＣＹをプレーン編みで、かつ、ＷＮをコース方向にＰとＴとが入れ替わりＴが少なくとも２連続するように配置された第３の編み組織（線画部分２２）との３トーンにより高精細なストッキング柄３０を実現する。【選択図】図２
2018028165.tif 000002
【特許請求の範囲】
【請求項１】
第１の編糸および第２の編糸を含んで４口丸編み機により連続して編成された下半身用衣類であって、
前記第２の編糸で編んだプレーン編みに対してそれ自体で編目を編成しないインレイ糸として前記第１の編糸を挿入した第１の編み組織と、
前記４口丸編み機の第１口および第３口に供給された前記第１の編糸をプレーン編みで、かつ、前記４口丸編み機の第２口および第４口に供給された前記第２の編糸をコース方向にプレーンとタックとが交互に入れ替わる１×１編みであって同一ウェールにおいてはプレーンとタックとが配置された第２の編み組織と、
前記第１の編糸をプレーン編みで、かつ、前記第２の編糸をコース方向にプレーンとタックとが入れ替わりタックが少なくとも２連続するように配置された第３の編み組織とを含む、下半身用衣類。
【発明の詳細な説明】
【技術分野】
【０００１】
本発明は、パンティストッキングまたはパンティ部を備えないレッグ部のみのストッキング（以下において単にストッキングと記載する場合がありさらにパンティストッキングとストッキングとを合わせて単にストッキングと記載する場合がある）に代表される下半身用衣類（パンティストッキング、ストッキング、ショートストッキング、靴下、フットカバー、スパッツ、タイツ等）に関し、特に、細かい柄または／および模様（以下において模様を含めて柄と記載する場合がある）であっても編成することができ、さらにその細かい柄を編成した場合に従来のループ（ニット）とミスとで柄を編成した場合よりも繊細かつ奥行きがある（３次元のように見える）柄を備えた、パンティストッキングまたはストッキングに代表される下半身用衣類に関する。
【背景技術】
【０００２】
近年の生活習慣上、人が靴を履くときに足に装着する衣類としての靴下を多くの人々が使用している。そのような衣類の中で、特に、女性の下半身を覆うストッキングおよびタイツは、外出時における女性の脚部の保護および保温さらには脚線美の向上の観点等から、広く世間に浸透している。
現在市販されているほとんどのストッキングおよびタイツは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。種類が異なる２種類の糸を使用するため（構造上どうしても）横縞模様が表れやすい。
ゾッキ（ゾッキ編み）は、一般的にはサポート糸（ポリウレタン糸にナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編み組織が解編されたはしご状の線）が発生しにくいという特徴を備えたゾッキ編みのストッキングが、最近では増えてきている。
【０００４】
このようなストッキングまたはタイツに柄（模様）を編成する場合には、たとえば、特開２０１２−０７２５３７号公報（特許文献１）に開示されるように、ループ（ニット）とミスとを組み合わせて、４×４（４目単位）の模様を規則的なパターンとして表現する。下半身用衣類においては、このようにして、柄（模様）を編成することが一般的である。
【先行技術文献】
【特許文献】
【０００５】
【特許文献１】特開２０１２−０７２５３７号公報
【発明の概要】
【発明が解決しようとする課題】
【０００６】
しかしながら、特許文献１に開示された一般的な編成方法で柄（模様）を編成できるのは４目単位でしかなく、それ以上の細かい柄（模様）を編成することはできない。また、特許文献１に開示された一般的な編成方法で柄（模様）を編成するとループ（ニット）の部分で編目が編成されミスの部分で編目が編成されないので、ループ（ニット）の部分とミスの部分とでは編地表面の凹凸具合が異なり編地の表面が滑らかでなく好ましくない場合がある。
【０００７】
本発明は、従来技術の上述の問題点に鑑みて開発されたものであり、その目的とするところは、（ループ（ニット）の部分とミスの部分とを使って柄を編成するものではないので滑らかな）細かい柄を編成することができ、さらにその細かい柄を編成した場合に従来のループ（ニット）とミスとで柄を編成した場合よりも（２つの柄を組み合わせることにより３トーンで）繊細かつ奥行きがある（３次元のように見える）柄を備えた、パンティ
ストッキングまたはストッキングに代表される下半身用衣類を提供することである。
【課題を解決するための手段】
【０００８】
上記目的を達成するため、本発明に係る下半身用衣類は以下の技術的手段を講じている。
すなわち、本発明に係る下半身用衣類は、第１の編糸（たとえばＤＣＹ）および第２の編糸（たとえばウーリーナイロン）を含んで４口丸編み機により連続して編成された下半身用衣類であって、前記第２の編糸で編んだプレーン編みに対してそれ自体で編目を編成しないインレイ糸として前記第１の編糸を挿入した第１の編み組織と、前記４口丸編み機の第１口および第３口に供給された前記第１の編糸をプレーン編みで、かつ、前記４口丸編み機の第２口および第４口に供給された前記第２の編糸をコース方向にプレーンとタックとが交互に入れ替わる１×１編みであって同一ウェールにおいてはプレーンとタックとが配置された第２の編み組織と、前記第１の編糸をプレーン編みで、かつ、前記第２の編糸をコース方向にプレーンとタックとが入れ替わりタックが少なくとも２連続するように配置された第３の編み組織とを含む。
【発明の効果】
【０００９】
本発明によれば、細かい柄であっても編成することができ、さらにその細かい柄を編成した場合に従来のループ（ニット）とミスとで柄を編成した場合よりも（２つの柄を組み合わせることにより３トーンで）繊細かつ奥行きがある（３次元のように見える）柄を備えた、パンティストッキングまたはストッキングに代表される下半身用衣類を提供することができる。
【図面の簡単な説明】
【００１０】
【図１】本発明の実施の形態に係るストッキングの概略正面図および部分拡大図である。
【図２】図１のストッキングにおいて２つの柄を組み合わせることにより３トーンで繊細かつ奥行きがある（３次元のように見える）柄を説明する図である。
【発明を実施するための形態】
【００１１】
以下、本発明の実施の形態として、下半身用衣類の一例である高精細柄パンティストッキング（以下において単にストッキングと記載する場合がある）１を、図面に基づき詳しく説明する。なお、本発明は、限定されるものではないが、スカート等を履いても外部から見えるレッグ部２に好適に適用される。
図１に、本実施の形態に係るストッキング１の概略正面図を示す。このストッキング１は、腹部および臀部を被覆するパンティ部３と、脚を被覆するレッグ部２とを備えるものである。このストッキング１は、筒状に編成された１対の編地を用い、パンティ部３に相当する部分に切れ目を入れて裁断縁どうしをつき合わせて股部４を縫着して一体化することにより製造される。また、足部の爪先部は周知の手段により、袋状に縫着することにより製造される。
【００１２】
なお、本発明において、対象をストッキング（特に、精細な柄を備えたストッキング）としているが、部分的にその機能を備えた（膝丈程度の長さの）ショートストッキング等を含むこと、および、ストッキングよりも一般的に厚手のタイツやスパッツを含むこと、その他の下半身用衣類を含むことは、技術分野で上述した通りである。
このストッキング１においては、レッグ部２の少なくとも一部（ここではストッキング１の全体）には図１の拡大図および図２（Ｃ）に示すストッキング柄３０が編成されている。このストッキング柄３０は、従来のループ（ニット）とミスと４目単位で柄を編成したものではなく、図２（Ａ）に示す第１の柄１０（後述するがこの第１の柄１０は第１の編み組織である下地部分１２と第２の編み組織であるベタ塗り部分１４とにより形成）と図２（Ｂ）に示す第２の柄２０（後述するがこの第２の柄２０は第３の編み組織である線画部分２２により形成）とを組み合わせることにより、３トーンで繊細かつ奥行きがある（３次元のように見える）柄を編成したものである。
【００１３】
さらに詳しくは、このストッキング１のストッキング柄３０は、第１の編糸（たとえばダブルカバリング糸（ＤＣＹ：Ｄｏｕｂｌｅ  Ｃｏｖｅｒｅｄ  Ｙａｒｎ））および第２
の編糸（たとえばウーリーナイロン）を含んで４口丸編み機により連続して編成される。・図２（Ａ）に示す第１の柄１０を形成する下地部分１２は、第２の編糸で編んだプレーン編みに対してそれ自体で編目を編成しないインレイ糸として第１の編糸を挿入した第１の編み組織により、
・図２（Ａ）に示す第１の柄１０を形成するベタ塗り部分１４は、４口丸編み機の第１口および第３口に供給された第１の編糸をプレーン編みで、かつ、４口丸編み機の第２口および第４口に供給された第２の編糸をコース方向にプレーンとタックとが交互に入れ替わる１×１編みであって同一ウェールにおいてはプレーンとタックとが配置された第２の編み組織により、
・図２（Ｂ）に示す第２の柄２０を形成する線画部分２２は、第１の編糸をプレーン編みで、かつ、第２の編糸をコース方向にプレーンとタックとが入れ替わりタックが少なくとも２連続するように配置された第３の編み組織により、
実現されている。
【００１４】
このように、このストッキング柄３０は、ループ（ニット）の部分とミスの部分とを使って柄を編成するものではないので滑らかな柄であって、かつ、４目単位での柄という制約をうけることがないので高精細な柄を実現することができる。そして、このストッキング柄３０は、図２（Ａ）に示す第１の柄１０と図２（Ｂ）に示す第２の柄２０との２つの柄を組み合わせることにより、３トーン（第１の編み組織（下地部分１２）、第２の編み組織（ベタ塗り部分１４）および第３の編み組織（線画部分２２））で繊細かつ奥行きがある（ように見える３次元的な）ストッキング柄３０を実現したものである。
【００１５】
さらに具体的に、このストッキング柄３０について説明する。
編糸としては、第１の編糸として、ＤＣＹ（芯糸：ポリウレタン２２デシテックス、捲糸（２本）：ナイロン８デシテックス）を採用し、第２の編糸として、１７デシテックスで５フィラメントのウーリーナイロンを採用して、４口丸編み機を用いて連続して編成した。なお、第１の編糸として採用したＤＣＹの代わりにシングルカバリング糸（ＳＣＹ：Ｓｉｎｇｌｅ  Ｃｏｖｅｒｅｄ  Ｙａｒｎ）であっても構わない。
【００１６】
＜下地部分１２（第１の編み組織）＞
ウーリーナイロンのプレーン編みにＤＣＹをインレイして編成した。より詳しくは、ウーリーナイロンで編んだプレーン編の地組織に対してそれ自体で編目を編成しないインレイ糸としてＤＣＹを挿入した第１の編み組織により編成された下地部分１２を形成した。この下地部分１２においては、編目が粗くメッシュ状になっており、最も薄い色合い（トーン）になっている。この場合において、このインレイ糸は、地組織のプレーン編みの地組織のループに絡ませてかつ地組織の編目のつながり部に沿う方向と平行に編み込んでこれらループ間に挿入するタックイン（クロスインレイ）により編成される。
【００１７】
＜ベタ塗り部分１４（第２の編み組織）＞
４口丸編み機の第１口および第３口に供給されたＤＣＹをプレーン編みで、かつ、４口丸編み機の第２口および第４口に供給されたウーリーナイロンをコース方向にプレーンとタックとが交互に入れ替わる１×１編みであって同一ウェールにおいてはプレーンとタックとが配置された第２の編み組織により編成されたベタ塗り部分１４を形成した。より詳しくは、以下のように表される。
【００１８】
↓ウェール方向  ／  →コース方向
第１口：ＤＣＹ：          Ｐ  Ｐ  Ｐ  Ｐ  Ｐ  Ｐ  Ｐ
第２口：ウーリーナイロン：Ｐ  Ｔ  Ｐ  Ｔ  Ｐ  Ｔ  Ｐ
第３口：ＤＣＹ：          Ｐ  Ｐ  Ｐ  Ｐ  Ｐ  Ｐ  Ｐ
第４口：ウーリーナイロン：Ｔ  Ｐ  Ｔ  Ｐ  Ｔ  Ｐ  Ｔ
このベタ塗り部分１４においては、上述した下地部分１２の色合いと後述する線画部分２２の色合いとの間の色合い（トーン）であって、線画部分２２よりも広い領域の柄を実現することができる。
【００１９】
＜線画部分２２（第３の編み組織）＞
第１の編糸をプレーン編みで、かつ、第２の編糸をコース方向にプレーンとタックとが
入れ替わりタックが（少なくとも）２連続するように配置された第３の編み組織により編成された線画部分２２を形成した。より詳しくは、以下のように表される。
↓ウェール方向  ／  →コース方向
ＤＣＹのプレーン編み：Ｐ  Ｐ  Ｐ  Ｐ  Ｐ  Ｐ  Ｐ
ウーリーナイロン    ：Ｐ  Ｐ  Ｔ  Ｔ  Ｐ  Ｐ  Ｐ
この線画部分２２においては、タックが少なくとも２連続（３連続であることも好ましい）することにより、編糸が引っ張られて引きつるために、細く最も濃い色合い（トーン）の線画を実現することができる。
【００２０】
本実施の形態に係るストッキング１において、２つの柄（第１の柄１０および第２の柄２０）を組み合わせることにより、３トーン（第１の編み組織である下地部分１２の色合い、第２の編み組織であるベタ塗り部分１４の色合いおよび第３の編み組織である線画部分２２の色合いがそれぞれ異なるために３トーンとなる）で繊細かつ奥行きがある（３次元のように見える）柄を実現することができる。
【００２１】
以上のようにして、本実施の形態に係るストッキングによると、細かい柄であっても編成することができ、さらにその細かい柄を編成した場合に従来のループ（ニット）とミスとで柄を編成した場合よりも（２つの柄を組み合わせることにより３トーンで）繊細かつ奥行きがある（３次元のように見える）柄を備えることができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２２】
本発明は、ストッキングに代表される下半身用衣類に好適であり、細かい柄であっても編成することができ、さらにその細かい柄を編成した場合に従来のループ（ニット）とミスとで柄を編成した場合よりも（２つの柄を組み合わせることにより３トーンで）繊細かつ奥行きがある（３次元のように見える）柄を備えた、パンティストッキングまたはストッキングに代表される下半身用衣類に特に好適である。
【符号の説明】
【００２３】
１  （パンティ）ストッキング
２  レッグ部
３  パンティ部
４  股部
１０  第１の柄
１２  下地部分（第１の編み組織）
１４  ベタ塗り部分（第２の編み組織）
２０  第２の柄
２２  線画部分（第３の編み組織）
３０  ストッキング柄
【図１】
2018028165.tif 000003
【図２】
2018028165.tif 000004